(57)【要約】  【課題】  ショルダーバッグの肩ベルト留め具の改良に関する。  【解決手段】  両側マチ部４、４にベルト口５を設けたバッグ本体２と、前記バッグ本体２を吊下げるため、両端の長手方向に複数の孔８を所定間隔でそれぞれ設けた肩ベルト７と、前記バッグ本体２のマチ部４に設けたベルト口５と合致する位置に取付け、前記肩ベルト７の長さを調節可能に係止するベルト留具１０とからなり、前記肩ベルト７の先端を前記バッグ本体２の外側から前記ベルト留具１０とベルト口５を介してからバッグ本体２内に挿通し、前記肩ベルト７の長さを調節してベルト留具１０に固定してなることを特徴とする。  【選択図】  図１
0003140678.tif 000002
【実用新案登録請求の範囲】
【請求項１】
両側マチ部（４）、（４）にベルト口（５）を設けたバッグ本体（２）と、
前記バッグ本体（２）を吊下げるため、両端の長手方向に複数の孔（８）を所定間隔に設けた肩ベルト（７）と、
前記バッグ本体（２）のマチ部（４）に設けたベルト口（５）と合致する位置に取付け、前記肩ベルト（７）の長さを調節可能に連結するベルト留具（１０）とからなり、
前記肩ベルト（７）の先端を前記バッグ本体（２）の外側から前記ベルト留具（１０）とベルト口（５）を介してからバッグ本体（２）内に挿通し、前記肩ベルト（７）の長さを調節してベルト留具（１０）に固定してなることを特徴とするショルダーバッグ。
【請求項２】
前記ベルト留具（１０）は、左右両側にガイド鍔部（１３）を形成し、略中央に前記バッグ本体（２）のベルト口（５）と合致する挿入口（１４）を設け、該挿入口の上方中央に前記肩ベルト（７）の任意の孔（８）に貫通する係止軸（１５）を樹立させ、同じく前記挿入口（１４）の下方に収容部（１６）を設けて形成した基板（１１）と、
前記基板（１１）の収容部（１６）に装着させる下片部（２４）の一端に、先端に係止部（２８）を突設させた可撓性を有する上片部（２７）の一端を連結して断面コ字形に形成したストッパ片（２３）と、
前記基板（１１）のガイド鍔部（１３）と嵌合するガイド溝部（３４）を両側内部に設け、長手方向の一端中央に前記基板（１１）の係止軸（１５）を収容する軸溝部（３８）を設け、前記ストッパ片（２３）の係止部２８が嵌合する嵌合凹部（３９）を下端中央に形成し、同じく前記ストッパ片（２３）の係止部（２８）が係合する係止溝部（４１）を裏面略中央に設けたスライド蓋（３２）と、からなることを特徴とする請求項１記載のショルダーバッグ。
【請求項３】
前記基板（１１）は、平坦部（１２）の幅方向両側を立ち上がらせその両端を左右対称で外方向に折り曲げてそれぞれガイド鍔部（１３）（１３）を形成し、前記平坦部（１２）の略中央には前記バッグ本体（２）のベルト口（５）と合致する位置に挿入口（１４）を設け、該挿入孔の上方平坦部（１２ａ）の中央表側には前記肩ベルト（７）の任意の孔（８）に貫通させる係止軸（１５）を樹立させると共に、該係止軸の上方に前記バッグ本体（２）に取付ける連結孔（２０）を設け、前記挿入孔（１４）の下方平坦部（１２ｂ）に前記ストッパ片（２３）を装着させる収容部（１６）を形成し、該収容部の下辺に前記バッグ本体（２）のベルト口（５）に係止する断面L型に形成した挿入片部（２１）をそれぞれ一体に設けて形成したことを特徴とする前記請求項２記載のショルダーバッグ。
【請求項４】
前記ベルト留具（１０）は、スライド蓋（３２）をロックしているストッパ片（２３）の係止部（２８）を押し込んでロックを解除させた後、スライド蓋（３２）を下方へスライドさせて基板（１１）の挿入口（１４）を露出させると同時にストッパ片（２３）の係止部２８がスライド蓋（３２）の裏面に設けた係止溝部（４０）に係合してスライド蓋（３２）の降下を停止させ、前記肩ベルト（７）の先端をベルト留具（１０）の外側から挿入口（１４）とベルト口（５）を介してバッグ本体（２）内に挿入させると共に、肩ベルト（７）に設けた孔（８）を基板（１１）の係止軸（１５）に貫通させた後、前記スライド蓋（３２）を上方へスライドさせて基板（１１）の挿入口（１４）と係止軸（１５）の頭部を塞いでスライド蓋（３２）が上端位置に停止させると同時に、前記ストッパ片（２３）の係止部（２８）が嵌合凹部（３９）に嵌合してスライド蓋（３２）の降下をロックすることにより、肩ベルト（７）を所定の長さに調節して肩ベルト（７）の余剰部分をバッグ本体（２）内に収納することを特徴とする請求項１ないし３のいずれか１記載のショルダーバッグ。
【請求項５】
片側マチ部（４）にベルト口（５）を設けたバッグ本体（２）と、
前記バッグ本体（２）を吊下げるため、片側マチ部に一端を止着し、他端の長手方向に複数の孔（８）を所定間隔に設けた肩ベルト（７）と、
前記バッグ本体（２）のマチ部（４）に設けたベルト口（５）と合致する位置に取付け、前記肩ベルト（７）の長さを調節可能に連結するベルト留具（１０）とからなり、
前記肩ベルト（７）の一端を前記バッグ本体（２）の外側から前記ベルト留具（１０）とベルト口（５）を介してからバッグ本体（２）内に挿通し、前記肩ベルト（７）の長さを調節してベルト留具（１０）に固定してなることを特徴とするショルダーバッグ。
【考案の詳細な説明】
【技術分野】
【０００１】
本考案は、ショルダーバッグの改良に関する。
【背景技術】
【０００２】
従来、ショルダーバッグ（かばん）は、持ち運ぶ物を収容するバッグ本体と、該バッグ本体を肩から吊下げる肩ベルトとにより構成され、この肩ベルトには、使用者の身長や用途によって長さを調節するための長さ調節手段を取付けて形成してある。
【０００３】
前記肩ベルトの長さを調節するための調節手段は多種多様であるが、その多くは、長さ調節用の長尺ベルトと、該長尺ベルトと連結する短尺ベルトからなり、それぞれベルトの一端をバッグ本体のマチ部に縫着、またはD環やなす環を介して連結され、例えば、短尺ベルト側に尾錠を取付け、長尺ベルト側に複数のピン孔を設けたベルト連結具や、短尺ベルト側にベルト折り返し用のD環を取付けたアジャスト連結具などが知られている。（参考文献１、２）。
【特許文献１】実用新案登録第３０９２４００号
【特許文献２】実用新案登録第３０５８３７８号
【０００４】
前記ベルト連結具は、短尺ベルトに取付けた尾錠のピンを長尺ベルトに複数設けたピン孔のうち任意ピン孔に差し込み、余剰ベルト部分を短尺ベルト側に取り付けたベルト輪に挿通して連結してある。このベルト連結具は、短尺ベルトに取付けた尾錠のピンが刺さったり、引っ掛けたりして怪我をしたりするおそれがあり危険であると共に、余剰ベルトの先端が反り返りやすく見栄えが悪い。
【０００５】
一方、アジャスト連結具は、長尺ベルトを短尺ベルトに取付けたD環を環回して折り返し、長尺ベルトの弛み止環に止めて形成してあるため、ベルトが二重、三重に重なり、特に婦人用のショルダーバッグとして使用する場合、かばんの見栄えが良くないという問題点があった。
【０００６】
そのため、前記連結具を使用せずに肩ベルトの両端をバッグ本体内に収容して肩ベルトの外観をスッキリさせた形状のショルダーバッグも知られている（参考文献３）。
【特許文献３】特開２００４−８３８３号
【０００７】
前記ショルダーバッグは、肩ベルトの両端をバッグ本体内に収容した一対のベルト巻き取りリールにそれぞれ連結し、長さ調節をバッグ本体のマチ部に取付けたクリップ部で調節して係止している。そのため、かばんの内底部にリールを収容するため嵩張り大きさのわりに持ち物を入れる量が少なくて不便であると共にかばんも重く、構造も複雑でコストが高く不経済である。さらには、婦人用のショルダーバックに前記機構を取付けることは困難であるなど、多くの問題点を有している。
【考案の開示】
【考案が解決しようとする課題】
【０００８】
本考案が解決しようとする課題は、ショルダーバッグに使用する肩ベルトに取付けられている長さ調節手段をなくすと共に、肩ベルトの両端または片方の先端をバッグ本体内に収容して外観をスッキリさせ、肩ベルトの連結具による怪我や見栄えの悪さを防止すると共に、バッグ本体の軽量化とコストダウンを図ることを課題とするものである。
【課題を解決するための手段】
【０００９】
上記課題を達成するために本考案は、両側マチ部４、４にベルト口５を設けたバッグ本体２と、前記バッグ本体２を吊下げるため、両端の長手方向に複数の孔８を所定間隔に設けた肩ベルト７と、前記バッグ本体２のマチ部４に設けたベルト口５と合致する位置に取付けて前記肩ベルト７の長さを調節可能に連結するベルト留具１０とからなり、前記肩ベルト７の先端を前記バッグ本体２の外側から前記ベルト留具１０とベルト口５を介してからバッグ本体２内に挿通し、前記肩ベルト７の長さを調節してベルト留具１０に固定してなることを特徴とする。また、前記ベルト留具１０は、左右両側にガイド鍔部１３を形成し、略中央に前記バッグ本体２のベルト口５と合致する挿入口１４を設け、該挿入口の上方中央に前記肩ベルト７の任意の孔８に貫通する係止軸１５を樹立させ、同じく前記挿入口４の下方に収容部１６を設けて形成した基板１１と、前記基板１１の収容部１６に装着させる下片部２４の一端に、先端に係止部２８を突設させた可撓性を有する上片部２７の一端を連結して断面コ字形に形成したストッパ片２３と、前記基板１１のガイド鍔部１３と嵌合するガイド溝部３４を両側内部に設け、長手方向の一端中央に前記基板１１の係止軸１５を収容する軸溝部３８を設け、前記ストッパ片２３の係止部２８が嵌合する嵌合凹部３９を下端中央に形成し、同じく前記ストッパ片２３の係止部２８が係合する係止溝部４１を裏面略中央に設けたスライド蓋３２と、からなることを特徴とする。さらには、前記基板１１は、平坦部１２の幅方向両側を立ち上がらせその両端を左右対称で外方向に折り曲げてそれぞれガイド鍔部１３、１３を形成し、前記平坦部１２の略中央には前記バッグ本体２のベルト口５と合致する位置に挿入口１４を設け、該挿入孔の上方平坦部１２ａの中央表側には前記肩ベルト７の任意の孔８に貫通させる係止軸１５を樹立させると共に、該係止軸の上方に前記バッグ本体２に取付ける連結孔２０を設け、前記挿入孔１４の下方平坦部１２ｂに前記ストッパ片２３を装着させる収容部１６を形成し、該収容部の下辺に前記バッグ本体２のベルト口５に係止する断面L型に形成した挿入片部２１をそれぞれ一体に設けて形成したことを特徴とする。さらにはまた、前記ベルト留具１０は、スライド蓋３２をロックしているストッパ片２３の係止部２８を押し込んでロックを解除させた後、スライド蓋３２を下方へスライドさせて基板１１の挿入口１４を露出させると同時にストッパ片２３の係止部２８がスライド蓋３２の裏面に設けた係止溝部４０に係合してスライド蓋３２の降下を停止させ、前記肩ベルト７の先端をベルト留具１０の外側から挿入口１４とベルト口５を介してバッグ本体２内に挿入させると共に、肩ベルト７に設けた孔８を基板１１の係止軸１５に貫通させた後、前記スライド蓋３２を上方へスライドさせて基板１１の挿入口１４と係止軸１５の頭部を塞いでスライド蓋３２が上端位置に停止させると同時に、前記ストッパ片２３の係止部２８が嵌合凹部３９に嵌合してスライド蓋３２の降下をロックすることにより、肩ベルト７を所定の長さに調節して肩ベルト７の余剰部分をバッグ本体２内に収納することを特徴とする。また、片側マチ部４にベルト口５を設けたバッグ本��２と、前記バッグ本体２を吊下げるため、片側マチ部に一端を止着し、他端の長手方向に複数の孔８を所定間隔に設けた肩ベルト７と、前記バッグ本体２のマチ部４に設けたベルト口５と合致する位置に取付け、前記肩ベルト７の長さを調節可能に連結するベルト留具１０とからなり、前記肩ベルト７の一端を前記バッグ本体２の外側から前記ベルト留具１０とベルト口５を介してからバッグ本体２内に挿通し、前記肩ベルト７の長さを調節してベルト留具１０に固定してなることを特徴とする。
【００１０】
したがって、バッグ本体２の両側または片側のマチ部４に設けたベルト口５と合致する位置に取付けたベルト留具１０のスライド蓋３２を開閉させるだけのワンタッチで肩ベルト７の先端を所定長さに留めることができると共に、肩ベルトの余剰部分が見えないのでスッキリして見栄えが良くかばんの高級感を演出することができる。
【考案を実施するための最良の形態】
【００１１】
以下、本考案の実施の形態を図面に基づいて説明すると、図１は本考案にかかるショルダーバッグの一部破断した斜視図、図２はベルト留具の分解斜視図、図３は肩ベルトの中央部分を省略した両端部分の拡大図、図４はベルト留具の正面図、図５は同平面図、図６は図４のA―A線断面図、図７はスライド蓋を引き下げる直前の状態を示す断面図である。ショルダーバッグ１は、皮革、合成皮革または布材などにより形成したバッグ本体２と、該バッグ本体を肩から吊下げる肩ベルト７と、該肩ベルトを前記バッグ本体２に取付けるためのベルト留具１０とにより構成してある。
【００１２】
前記バッグ本体２は、男性用のビジネスバッグ型、または女性用のおしゃれないわゆるショルダーバッグ型でも良く（本考案の実施形態は女性用のバックを図示してある）、前記バッグ本体２は、図１に示すごとく、上面を開口して内部に収納部３を形成し、両側マチ部４の上方に前記肩ベルト７の先端を挿入するベルト口５を設けてある。前記開口部には、ファスナーまたはかぶせ蓋などにより開閉可能に形成し、バッグ本体２には前記肩ベルト７だけではなく手で持ち運び可能な把手部（図示せず）を取付けてもよい。
【００１３】
前記肩ベルト７は、図１、２、３に示すごとく、皮革、合成皮革または布材などにより帯状に形成し、両端の長手方向に孔８を所定間隔で複数設けてある。前記肩ベルト７は両端に孔８を設けた実施例を示したが、肩ベルト７の片側をバッグ本体２のマチ部４に固定した場合は、片側の先端近傍に複数の孔を設けて形成することができる。したがって、肩ベルト７の製造工程において、Ｄ環やなす環などの連結具の取付が不要であるため製造コストが安価で経済的である。
【００１４】
前記ベルト留具１０は、図２、４〜６に示すごとく、前記バッグ本体２に取付ける基板１１と、該基板の上面で上下方向にスライド可能に取付けたスライド蓋３２と、該スライド蓋の上下動を制御するストッパ片２３とにより構成してある。
【００１５】
前記基板１１は、図２、８、９に示すごとく、金属板材により形成した平坦部１２の幅方向両側を垂直に折り曲げその先端を左右に広げて左右対称のガイド鍔部１３を形成し、前記平坦部１２の略中央に前記バッグ本体２のベルト口５と合致する位置に挿入口１４を設け、該挿入口の上方平坦部１２ａの略中央に前記肩ベルト７の孔８を貫通する係止軸１５を樹立させ、前記挿入口１４の下方平坦部１２ｂに前記ストッパ片２３を位置させる収容部１６それぞれ一体に設けてある。前記係止軸１５の上端を異径、即ち、やや大径に形成した頭部１５ａを設け、一度貫通した肩ベルト７を抜け難くしてある。
【００１６】
前記収容部１６は、基板１１に設けた挿入口１４の下辺を折り曲げて形成した係止部１６ａと、下方平坦部１２ｂの下辺両側を切り欠き、さらに先端を折り曲げて形成した係止爪部１６ｂとにより形成してある。
【００１７】
前記基板１１の上方平坦部１２ａには、ねじ、ビスまたは鳩目などの連結手段Ｘによってバッグ本体２に取付けるための連結孔２０を形成し、下方平坦部１２ｂの下端には、下辺両側を切り欠いて中央部分を断面L字形に折り曲げて形成した挿入片部２１を設けてある。
【００１８】
この挿入片部２１は、前記基板１１をバッグ本体２に連結するとき、前記挿入片部２１をベルト口５からマチ部４の内側に挿入してベルト口５の下辺に係止させることにより、ベルト口５と挿入口１４を簡単に合致させることができ、さらに、上方の連結孔２０とバッグ本体２とを連結手段Ｘによって強固に取付けることができる。さらには、バッグ本体２と基板１１との連結手段は、前記手段に限らず上方平坦部１２ａと下方平坦部１２ｂにそれぞれ連結孔を設け、ねじ、ビスまたは鳩目などの連結手段によって連結してもよい。
【００１９】
前記ストッパ片２３は、図２、１０、１１に示すごとく、前記基板１１の収容部１６に嵌合する下片部２４の一側と、可撓性を有する上片部２７の一側とを連結片２６で連結して断面コ字形で一体に形成し、前記下片部２４の略中央に凹溝部２５を設け、前記上片部２６の先端中央に係止部２８を一体に突設してある。
【００２０】
前記ストッパ片２３の係止部２８は、上片部２７の上面直角方向に当接部２８ａを設けて前記スライド蓋３２の降下を止め、先端上方に湾曲部２８ｂを設けて係止部２８の押し下げを容易にし、下側に斜面部２８ｃを設けて前記スライド蓋３２の係止溝部４０からの離脱を容易にしてある。前記係止部２８の湾曲部２８ｂを押圧すると、上片部２７が撓んで係止部２８が前記下片部２４の凹溝部２５内に嵌入する。また、係止部２８の上端が上片部２７の上面の延長線上より下方に位置させると、基板１１の上面に位置したスライド蓋３２の裏面の延長線より下側になるため、該スライド蓋は係止部２８に当たらずに降下が可能とである。
【００２１】
前記スライド蓋３２は、図２、１２、１３に示すごとく、平坦な蓋板３３の幅方向両側で、一端に停止部３５を有するガイド溝３４をそれぞれ設け、前記蓋板３３の長手方向一端中央裏面に前記基板１１の係止軸１５が挿通する軸溝部３８を形成し、他端中央に前記ストッパ片２３の係止部２８が嵌合する嵌合凹部３９を形成し、前記蓋板３３の裏面略中央に前記ストッパ片２３の係止部２８が係止する係止溝部４０を設けてある。
【００２２】
前記係止溝部４０にストッパ片２３の係止部２８が係止することにより、スライド蓋３２が基板１１から脱落するのを防止している。前記蓋板３３の裏面に設けた係止溝部４０は、スライド方向の上側を直角にして係止部２８の当接部２８ａと確実に係止させ、下側に斜面部４１を設けて係止部２８をスムースに出入り可能に形成してある。Ｘはバッグ本体２とかばん留具１０とを連結する連結手段である。
【００２３】
以下、本考案の実施形態の作用について説明すると、ベルト留具１０のバッグ本体２への取付けは、基板１１の挿入片部２１をマチ部４に設けたベルト口５の外側から内側に挿入してベルト口５の下辺と挿入片部２１の段部を接合させることにより、ベルト口５と基板１１の挿入口１４とを簡単に一致させることができ、次いで、マチ部４と基板１１の上方平坦部１２ａに設けた連結孔２０とをねじ、ビスまたは鳩目などの連結手段Ｘによって固着することにより、バッグ本体２に基板１１を確実に連結することができる。
【００２４】
前記ストッパ片２３の基板１１への装着は、ストッパ片２３の上片部２７に設けた係止部２８を下向きにして下片部２４を係止部１６ａと係止爪部１６ｂとの間に装着する。したがって、係止部２８を下片部２４側に押し込むと、係止部２８は下片部２４の凹溝部２５の間を挿通可能となる。
【００２５】
前記スライド蓋３２の基板１１への装着は、ストッパ片２３の係止部２８を上片部２７の上面と同じ位置まで押し込んでスライド蓋３２の裏面が係止部２８に当たらないようにし、次いで、スライド蓋３２の上端ガイド溝３４を基板１１のガイド鍔部１３の下端側から嵌合させて上方にスライドさせて嵌合する。
【００２６】
前記スライド蓋３２の上方リミットは、スライド蓋３２が基板１１の下方から上方にスライドすると、ガイド溝３４の一端に設けた停止部３５にガイド鍔部１３の下端が当接して停止すると同時に、ストッパ片２３の係止部２８はスライド蓋３２の裏面から抜けて上片部２７の弾発力によりスライド蓋３２の嵌合凹部３９に嵌合してスライド蓋３２が降下するのをロックする。
【００２７】
スライド蓋３２の引き下げは、嵌合凹部３９に嵌合されている係止部２８の湾曲部２８ａをスライド蓋３２の裏面より下側まで押し込んでスライド蓋３２のロックを解除し、次いで、スライド蓋３２の上面滑り止め３７に手を当てて下方へ引き下げると、係止部２８は降下するスライド蓋の裏面を摺動しながら裏面略中央に設けた係止溝部４０に嵌合してスライド蓋３２の降下を停止させる。
【００２８】
上片部２７の弾発力によりスライド蓋３２の係止溝部４０に嵌合したストッパ片２３の係止部２８は、該係止部の当接部２８ａと係止溝部４０の係止部４１とが互いに直角方向に当接してスライド蓋３２が降下するのをロックしている。また、スライド蓋３２の上方への移動は、該スライド蓋を上方へスライドさせるだけで、係止部の斜面部２８ｃと係止溝部４０の斜面部４２とが互いに摺動して、スムーズに係止部２８が係止溝部４０から離脱することができる。
【００２９】
したがって、スライド蓋３２の上端位置は、ガイド溝３４の一端に設けた停止部３５に基板１１のガイド鍔部１３の下端が当接して上昇を停止すると同時に、スライド蓋３２の嵌合凹部３９に係止部２８が嵌合してスライド蓋３２の降下をロックする。さらに、スライド蓋３２の降下位置は、スライド蓋３２が所定位置（挿入口が全開した位置）まで降下すると、係止部２８が係止溝部４０に嵌合してロックすることによりスライド蓋の降下を停止させ基板１１からの脱落を防止している。
【００３０】
肩ベルト７のバッグ本体２への取付けは、ベルト留具１０のスライド蓋３２を降下させてベルト口５と挿入口１４を開口する。次いで、図１４に示すごとく、肩ベルト７の先端をベルト留具１０の外側から挿入口１４とベルト口５を介して内部に挿入し、所定長さに設定した肩ベルト７の孔８を基板１１の係止軸１５に貫通する。この係止軸１５は一度貫通したベルトが抜けるのを防止するため上端を大径にした頭部１５ａを設けて抜け難くしてある。
【００３１】
次いで、図１５に示すごとく、スライド蓋３２を上方へスライドさせて基板１１の挿入口１４と係止軸１５を軸溝部３８に挿通して塞ぐと共に、ガイド溝３４の一停止部３５に基板１１のガイド鍔部１３の下端が当接するまで上昇させて停止すると同時に、前記ストッパ片２３の係止部２８が嵌合凹部３９に嵌合してスライド蓋３２をロックすることにより、肩ベルト７を所定の長さにワンタッチで簡単に連結することができると共に、肩ベルト７の脱落を防止することができる。
【００３２】
また、バッグ本体２内に収容された肩ベルト７の余剰部分は、収納部３にそのまま収納してもよいが、ベルト口５を有するマチ部４と収納部３との間に設けた内布（図示せず）との間に肩ベルト７の余剰部分を収納可能に形成することにより、収納部内をスッキリさせることができると共に肩ベルトの汚れを防止することができるのは勿論である。
【図面の簡単な説明】
【００３３】
【図１】本考案にかかるショルダーバッグの一部破断した斜視図である。
【図２】ベルト留具の分解斜視図である。
【図３】肩ベルトの中央部分を省略した両端部分の拡大平面図である。
【図４】ベルト留具の正面図である。
【図５】同平面図である。
【図６】図４のA―A線断面図である。
【図７】スライド蓋を引き下げる直前の状態を示す断面図である。
【図８】基板の平面図である。
【図９】図８のB―B線断面図である。
【図１０】ストッパ片の平面図である。
【図１１】図１０のC―C線断面図である。
【図１２】スライド蓋の裏面図である。
【図１３】図１２のD―D線断面図である。
【図１４】バッグ本体に取付けたベルト留具のスライド蓋を引き下げて肩ベルトを挿入した状態を示す説明図である。
【図１５】バッグ本体に取付けたベルト留具のスライド蓋を引き上げて肩ベルトを連結した状態を示す説明図である。
【符号の説明】
【００３４】
１      ショルダーバッグ
２      バッグ本体
４      マチ部
５      ベルト口
７      肩ベルト
８      孔
１０    ベルト留具
１１    基板
１２ａ  上方平坦部
１２ｂ  下方平坦部
１３    ガイド鍔部
１４    挿入口
１５    係止軸
１６    収容部
２０    連結孔
２１    係止片部
２３    ストッパ片
２４    下片部
２７    上片部
２８    係止部
３２    スライド蓋
３３    蓋板
３４    ガイド溝
３５    停止部
３７    滑止め部
３８    軸溝部
３９    嵌合凹部
４０    係止溝部
４１    斜面部
４２    係止溝部
【図１】
0003140678.tif 000003
【図２】
0003140678.tif 000004
【図３】
0003140678.tif 000005
【図４】
0003140678.tif 000006
【図５】
0003140678.tif 000007
【図６】
0003140678.tif 000008
【図７】
0003140678.tif 000009
【図８】
0003140678.tif 000010
【図９】
0003140678.tif 000011
【図１０】
0003140678.tif 000012
【図１１】
0003140678.tif 000013
【図１２】
0003140678.tif 000014
【図１３】
0003140678.tif 000015
【図１４】
0003140678.tif 000016
【図１５】
0003140678.tif 000017